(57)【特許請求の範囲】
【請求項１】
電源回路（２）から出力された直流定電圧をスイッチング素子（９）のオンオフにより直流矩形波電力に変換するチョッパ回路（１０）及びその直流矩形波電力を平滑化する平滑回路（１１）からなるランプ電力調整回路（３）と、当該ランプ電力調整回路（３）から出力された調整直流電力を任意のタイミングで反転させてランプ点灯用交流電力を生成する極性反転回路（４）を備えた放電灯の点灯装置であって、
放電灯（Ｌ）に印加すべき任意の目標交流電力の波形を予め設定し得る電力波形設定手段（２３）と、
前記ランプ電力調整回路（３）から出力された調整直流電力の微小区間における瞬間電力値と、これに対応する微小区間における前記目標交流電力の波形を整流した目標直流電力の目標瞬間電力値に基づいて設定されるデューティ比の電力制御パルス信号で前記チョッパ回路（１０）のスイッチング素子（９）をオンオフさせるランプ電力コントロール手段（２４）と、
前記ランプ電力調整回路（３）から出力された調整直流電力を前記目標交流電力に同期させて反転させるタイミング制御信号を前記極性反転回路（４）に対して出力するタイミングコントロール手段（２５）を備え、
前記ランプ電力コントロール手段（２４）が、前記スイッチング素子（９）をオンオフさせる電力制御パルス信号のデューティ比を、前記平滑回路（１１）から出力された調整直流電力の瞬間電力値と、前記目標直流波形の目標瞬間電力値との差に基づいてフィードバック制御するデューティ比補正手段（ＳＴＰ７）を備えたことを特徴とする放電灯の点灯装置。
【請求項２】
電力波形設定手段（２３）が、
放電灯（Ｌ）に印加すべき目標交流電力の波形を記録したメモリチップであり、
コネクタを介して前記ランプ電力コントロール手段（２４）に交換可能に装着されるように形成された請求項１記載の放電灯の点灯装置。
【請求項３】
電力波形設定手段（２３）が、外部コンピュータから目標交流電力を記録させる通信手段により供給される目標交流電力の波形を記録するメモリである請求項１記載の放電灯の点灯装置。
【発明の詳細な説明】
【０００１】
【発明の属する技術分野】
本発明は、蛍光ランプ、低圧ナトリウムランプ、高圧水銀ランプ、超高圧水銀ランプ、メタルハライドランプ、セラミックメタルハライドランプ、高圧ナトリウムランプなどの放電灯を始動させた後、その放電灯を継続点灯させる点灯装置に関する。
【０００２】
【従来の技術】
放電灯を始動させた後、継続して点灯させるため、従来は、任意の電圧値の直流定電力を所定周期で反転させることにより図９（ａ）に示すような交流矩形波電力を生成し、この交流矩形波電力を放電灯に供給するのが一般的である。
【０００３】
この交流矩形波電力は、波形のコントロールが容易で、半周期内では光の変動が少ないという利点があるが、発明者の実験によれば、ランプの種類や特性によっては、必ずしも交流矩形波が最適な電力波形とはいえないことが判明した。
【０００４】
例えば、交流矩形波電力を放電灯に供給して点灯させた場合に、正負の反転時に、大きな電流変動を生ずるため、浮遊インダクタンスが小さくても高電圧が発生し、ランプのチラツキを生じたり、始動器を内蔵した内部始動型ランプにおいては、始動器のコンデンサが破壊されてしまうおそれがある。
【０００５】
これを防止するために、図９（ｂ）に示すような交流台形波電力を供給すれば、正負の反転時に電流が徐々に変動するため、上述したような大きな電圧変動が生ずることがない。
【０００６】
また、図９（ｃ）及び（ｄ）に示すように、交流矩形波電力の反転直前に電力値を高くするようなパルス波形を付加したり、交流矩形波電力の立上りから立下り直前まで徐々に電力値を高くしていくような鋸歯波形にすれば、電極上のホットスポットが強く発生することにより電極間の放電が安定し、チラツキ防止の効果があるだけでなく、超高圧水銀ランプに供給して点灯させた場合は電極上に生成した金属堆積物を除去する効果もありランプ寿命が延びると言う利点がある。
【０００７】
特に、図９（ｄ）に示すような波形では、電力値が徐々に変化することから、液晶プロジェクターに使用しても画面の明るさが部分的に変化することなく、均一な明るさの画面が得られるという利点がある。
【０００８】
【発明が解決しようとする課題】
しかしながら、このように任意の電力波形を生成しようとすると、１台数十万円もするファンクションジェネレータが必要であり、しかも、その大きさは小型のものでも５０ｃｍ×３０ｃｍ×１０ｃｍ程度もあるので、これを個々の放電灯の点灯装置に組み込むことは、コスト的にもスペース的にも困難であり、到底現実的ではない。
【０００９】
そこで本発明は、極めて簡単な構成で、しかも小型、低コストで、放電灯の特性に応じた任意波形のランプ点灯交流電力を生成し、これを放電灯に印加して継続点灯できるようにすることを技術的課題としている。
【００１０】
【課題を解決するための手段】
この課題を解決するために、請求項１の発明は、電源回路から出力された直流定電圧をスイッチング素子のオンオフにより直流矩形波電力に変換するチョッパ回路及びその直流矩形波電力を平滑化する平滑回路からなるランプ電力調整回路と、当該ランプ電力調整回路から出力された調整直流電力を任意のタイミングで反転させてランプ点灯用交流電力を生成する極性反転回路を備えた放電灯の点灯装置であって、
放電灯に印加すべき任意の目標交流電力の波形を予め設定し得る電力波形設定手段と、
前記ランプ電力調整回路から出力された調整直流電力の微小区間における瞬間電力値と、これに対応する微小区間における前記目標交流電力の波形を整流した目標直流電力の目標瞬間電力値に基づいて設定されるデューティ比の電力制御パルス信号で前記チョッパ回路のスイッチング素子をオンオフさせるランプ電力コントロール手段と、
前記ランプ電力調整回路から出力された調整直流電力を前記目標交流電力に同期させて反転させるタイミング制御信号を前記極性反転回路に対して出力するタイミングコントロール手段を備え、
前記ランプ電力コントロール手段が、前記スイッチング素子をオンオフさせる電力制御パルス信号のデューティ比を、前記平滑回路から出力された調整直流電力の瞬間電力値と、前記目標直流波形の目標瞬間電力値との差に基づいてフィードバック制御するデューティ比補正手段を備たことを特徴としている。
【００１１】
請求項１の発明によれば、ランプ電力コントロール手段から出力された電力制御パルス信号により、チョッパ回路のスイッチング素子が前記電力制御パルス信号のデューティ比に応じてオンオフされる。
このデューティ比は、目標交流電力を整流した目標直流電力に基づいて設定されるので、電源回路から出力された直流定電圧がチョッパ回路でＰＷＭ制御されて直流矩形波電力に変換され、これを平滑回路で平滑化することにより、目標交流電力を整流した目標直流電力と等しい波形の調整直流電力が得られる。
したがって、得られた調整直流電力を極性反転回路により前記目標交流電力に同期させて反転させれば、目標交流電力に等しい波形のランプ点灯用交流電力が得られる。
【００１２】
請求項１では、ランプ電力コントロール手段に、前記平滑回路から出力された調整直流電力の瞬間電力値と、目標交流電力を整流した目標直流電力の瞬間電力値との差に基づいて、前記スイッチング素子をオンオフさせる電力制御パルス信号のデューティ比をフィードバック制御する制御パルス生成手段を備えている。
【００１３】
したがって、電力制御パルス信号のデューティ比が、前記平滑回路から出力された調整直流電力の瞬間電力値と、目標交流電力を整流した目標直流波形の瞬間電力値との差に基づいてフィードバック制御されるので、ＰＷＭ制御された直流矩形波電力を平滑化することにより目標直流電力に正確に一致した調整直流電力が得られ、さらに、目標交流電力に同期させて反転させることによりこの目標交流電力と正確に一致した波形のランプ点灯用交流電力が得られる。
【００１４】
また、請求項２の発明のように、波形設定手段として放電灯に印加すべき目標交流電力を記録させたメモリチップを用いれば、メモリチップを交換することにより目標交流電力の設定及び変更を容易に行うことができる。
【００１５】
同様に、請求項３の発明のように、波形設定手段として外部コンピュータから供給される目標交流電力の波形を記録するメモリを用いれば、簡単な操作で目標交流電力の設定及び変更を容易に行うことができる。
【００１６】
【発明の実施の形態】
以下、本発明の実施の形態を図面に基づいて具体的に説明する。
図１は本発明に係る放電灯の点灯装置を示すブロック図、図２はランプ電力調整回路を示す回路図、図３は極性反転回路を示す回路図、図４は各電力波形及び各制御パルス信号を示す波形図、図５乃至図７は処理手順を示すフローチャート、図８はデューティ比補正処理を説明する波形図である。
【００１７】
本例の放電灯の点灯装置１は、放電灯Ｌを点灯させる点灯回路Ｅと、当該点灯回路Ｅをコンロトールして予め設定した目標交流電力に一致したランプ点灯用交流電力を生成させる制御部Ｃとからなる。
【００１８】
点灯回路Ｅは、直流定電圧を出力する電源回路２と、その直流定電圧を降圧して所望波形の調整直流電力を得るランプ電力調整回路３と、当該ランプ電力調整回路３から出力された調整直流電力を任意のタイミングで反転させてランプ点灯用交流電力を生成する極性反転回路４と、放電灯Ｌの始動スイッチがオンされたときに数ＫＶ〜数十ＫＶの高圧の始動電圧を印加する始動回路５を備えている。
【００１９】
電源回路２は、交流電源６から供給される正弦交流電圧ＶＳ１を整流する整流回路７と、整流された脈動電圧ＶＳ２を直流定電圧ＶＳ３に変換する力率改善回路８を備えている。
【００２０】
ランプ電力調整回路３は、スイッチング素子となるＦＥＴ（電界効果トランジスタ）９をオンオフすることにより、電源回路２から出力された直流定電圧ＶＳ３を直流矩形波電力ＷＳ４に変換する前段のチョッパ回路１０と、この直流矩形波電力ＷＳ４を平滑化して所望の調整直流電力ＷＳ５を出力する後段の平滑回路１１を備えている。
【００２１】
具体的には、後述する制御部ＣのＰＷＭ制御回路２２からドライバ９ａを介して供給される電力制御パルス信号ＰＷにより、チョッパ回路１０に配されたＦＥＴ９をオンオフさせて、目標交流電力ＷＡ０に対応したデューティ比の直流矩形波電力ＷＳ４を出力させ、平滑回路１１を通過させることにより、目標交流電力ＷＡ０を整流した目標直流電力ＷＤ０と等しい調整直流電力ＷＳ５が得られる。
【００２２】
極性反転回路４は、スイッチング素子となる四つのＦＥＴ（電界効果トランジスタ）１２Ａ〜１２Ｄを備えたフルブリッジ型に形成されており、入力端子４inに印加される調整直流電力ＷＳ５をランプ点灯用交流電力ＷＳ６に変換して出力端子４outに出力する。
【００２３】
このため、後述する制御部Ｃから供給される極性制御パルス信号（タイミング制御信号）ＰＡ 〜ＰＤにより、対角に位置する二つのＦＥＴ１２Ａ及び１２Ｂ、１２Ｃ及び１２Ｄを各一対として、各対ごとに所定のタイミングでオン−オフを切り換えるようになっている。
【００２４】
各ＦＥＴ１２Ａ〜１２Ｄは、夫々の極性制御パルス信号ＰＡ 〜ＰＤ が高レベルのときに導通状態となり、低レベルのときに非導通状態となるので、各極性制御パルス信号ＰＡ〜ＰＤは夫々のＦＥＴ１２Ａ〜１２Ｄがオンオフされるタイミングに応じて出力される。
【００２５】
制御部Ｃは、シングルチップマイクロコンピュータ２１などで構成され、その入力側には、ランプ電力調整回路３から出力された調整直流電力ＷＳ５の電圧及び電流を検出するセンサ１４ａ、１４ｂがＡ／Ｄ変換器１５ａ、１５ｂを介して接続され、出力側には、ＰＷＭ制御回路２２及びドライバ９ａを介してチョッパ回路１０のＦＥＴ９が接続されると共に、ドライバ１２ａ〜１２ｄを介して極性反転回路４のＦＥＴ１２Ａ〜１２Ｄが接続されている。
【００２６】
また、制御部Ｃには、放電灯Ｌに印加すべき目標交流電力ＷＡ０の波形を予め設定する電力波形設定手段となるメモリ２３が設けられると共に、電力制御パルス信号ＰＷを前記チョッパ回路１０に出力することにより調整直流電力ＷＳ５を目標直流電力ＷＤ０に一致させるランプ電力コントロール手段２４と、前記ランプ電力調整回路３から出力された調整直流電力ＷＳ５を前記目標交流電力ＷＡ０に同期させて反転させる極性制御パルス信号ＰＡ〜ＰＤを前記極性反転回路４に対して出力するタイミングコントロール手段２５を備えている。
【００２７】
メモリ２３は、任意のタイプを採用することができ、例えば、放電灯Ｌに印加すべき目標交流電力の波形を記録させたメモリチップをコネクタ（図示せず）を介して制御部Ｃに着脱するタイプや、制御部Ｃに接続される外部コンピュータから通信手段により目標交流電力の波形を書換えたり設定したりインストールできるタイプのものでも良い。
【００２８】
このメモリ２３に目標交流電力ＷＡ０と等価の波形プロフィールを有する波形信号ＷＡを記憶させると、その１周期分を整流した波形信号ＷＤが登録され、これに予め設定された電力係数Ｋをかけると目標交流電力ＷＡ０を整流した電力値に等しい目標直流電力ＷＤ０の波形が得られる。
【００２９】
そして、目標直流電力ＷＤ０がｎ等分されて、１／ｎ周期に相当する時間が電力制御パルス信号ＰＷのパルス周期ＰＣのｍ倍（１≦ｍ≦１０００程度）として設定されると共に、インデックスｉ＝１〜ｎの目標直流電力ＷＤ０の波形高さに応じた目標瞬間電力Ｍｉと、電源回路２から出力される直流定電圧ＶＳ３に応じて、個々の電力制御パルス信号ＰＷｉのデューティ比ＤＴｉが設定される。
【００３０】
図５〜図７はランプ電力コントロール手段２４の処理手順を示すフローチャートである。
まず、放電灯Ｌが始動すると、図５に示すプログラムが実行開始されて、まず、ステップＳＴＰ１でインデックスｉ＝１、総電力量ＴＷ＝０として、ステップＳＴＰ２に移行しパルス周期を測るタイマの時刻Ｔ＝０と置く。
【００３１】
ステップＳＴＰ３で、デューティ比ＤＴｉと、パルス周期ＰＣを読出し、ステップＳＴＰ４で個々のパルスＰＷｉのパルス幅ＰＬｉ＝ＤＴｉ×ＰＣを算出し、ステップＳＴＰ５で電力制御パルス信号ＰＷとなるパルス幅ＰＬｉのパルスを出力するように、制御部ＣのＰＷＭ制御回路２２の設定を行う。
【００３２】
次いで、ステップＳＴＰ６でタイマ計測した時刻Ｔがパルス周期ＰＣのｍ倍の時間分経過するのを待ち、ステップＳＴＰ７のデューティ比補正プログラム（図６参照）を実行する。さらに、ステップＳＴＰ８に移行して目標交流電力ＷＡ０の１周期分の処理が終了したか否かを判断する。
【００３３】
この判断はｉ＝ｎであるか否かを判別することによって行う。
そして、終了していないと判断されたときはステップＳＴＰ９でインデックスｉ＝ｉ＋１と書き換えてステップＳＴＰ２に戻り、次の電力制御パルス信号を出力する処理を継続する。
また、終了したと判断されたときはステップＳＴＰ１０の電力係数補正プログラム（図７参照）を実行した後、ステップＳＴＰ１に戻る。
【００３４】
図６は、前記ステップＳＴＰ７のデューティ比補正プログラムの具体的処理手順を示すもので、電力制御パルス信号ＰＷがｍパルス出力されて、時刻Ｔがパルス周期ＰＣのｍ倍の時間分経過するたびに、ランプ電力調整回路３から出力された調整直流電力ＷＳ５が目標直流電力に等しくなるようにデューティ比を補正してフィードバック制御を行うためのものである。
【００３５】
ここでは、ステップＳＴＰ１１でセンサ１４ａ、１４ｂにより検出された電圧Ｖｉ、電流Ｉｉを取り込むと共に、ステップＳＴＰ１２で波形形状値Ｆｉと電力係数Ｋを読み出し、これらの値に基づいて、ステップＳＴＰ１３で調整直流電力ＷＳ５の瞬間電力Ｗｉ＝Ｖｉ×Ｉｉ、目標瞬間電力Ｍｉ＝Ｋ×Ｆｉ、総電力量ＴＷ＝ＴＷ＋Ｗｉを算出する。
このときの、直流定電圧ＶＳ３、調整直流電力ＷＳ５とその瞬間電力Ｗｉ、目標直流電力ＷＤ０とその目標瞬間電力Ｍｉ、波形信号ＷＤとその波形形状値Ｆｉ、電圧Ｖｉ、電流Ｉｉ、電力係数Ｋ、電力制御パルス信号ＰＷのパルス幅ＰＬｉとパルス周期ＰＣ、デューティ比ＤＴｉの関係を図８に示す。
【００３６】
次いで、ステップＳＴＰ１４で瞬間電力Ｗｉと目標瞬間電力Ｍｉとの差ｄＷ＝Ｗｉ−Ｍｉを算出する。
ここで、ｄＷ＜０の場合は瞬間電力Ｗｉが目標瞬間電力Ｍｉより小さいのでステップＳＴＰ１５に移行してｄＷの値に応じてデューティ比ＤＴｉを増加させて書き換える。
また、ｄＷ＞０の場合は瞬間電力Ｗｉが目標瞬間電力Ｍｉより大きいのでステップＳＴＰ１６に移行してｄＷの値に応じてデューティ比ＤＴｉを減少させて書き換える。
さらに、ｄＷ＝０の場合は瞬間電力Ｗｉが目標瞬間電力Ｍｉに等しいのでデューティ比ＤＴｉを書き換えることなく処理を終了する。
【００３７】
図７は、前記ステップＳＴＰ１０の電力係数補正プログラムの具体的処理手順を示すもので、目標交流電力ＷＡ０の１周期分の処理が終了するたびごとに、その１周期分の総電力量ＴＷが予め設定された設定電力量ＳＷに等しくなるように電力係数Ｋを補正してフィードバック制御を行うためのものである。
【００３８】
ここでは、先のステップＳＴＰ１３で算出された総電力量ＴＷと予め設定された設定電力量ＳＷをステップＳＴＰ２１で読出し、ステップＳＴＰ２２でその差ｄＴ＝ＴＷ−ＳＷを算出する。
そして、ｄＴ＜０の場合は総電力量ＴＷが設定電力量ＳＷより小さいので、ステップＳＴＰ２３に移行してｄＴの値に応じて電力係数Ｋを増加させ、書き換えていく。
また、ｄＴ＞０の場合は総電力量ＴＷが設定電力量ＳＷより大きいので、ステップＳＴＰ２４に移行してｄＴの値に応じて電力係数Ｋを減少させ、書き換えていく。
さらに、ｄＴ＝０の場合は総電力量ＴＷが設定電力量ＳＷに等しいので、電力係数Ｋを書き換えることなく処理を終了する。
【００３９】
以上が本発明の一構成例であって、次にその作用を説明する。
まず、制御部Ｃのメモリ２３に、立上りから立下りに向って徐々に上昇する目標交流電力ＷＡ０の波形信号ＷＡを記憶させると、その１周期分を整流した波形信号ＷＤが登録され、これに電力係数Ｋをかけると目標交流電力ＷＡ０を整流した電力値に等しい目標直流電力ＷＤ０の波形が得られる。
【００４０】
そして、目標直流電力ＷＤ０がｎ等分されて、１／ｎ周期に相当する時間が電力制御パルス信号ＰＷのパルス周期ＰＣのｍ倍（１≦ｍ≦１０００程度）として設定されると共に、インデックスｉ＝１〜ｎの個々の波形に応じた目標瞬間電力Ｍｉと、電源回路２から出力される直流定電圧ＶＳ３に応じて、個々の制御パルス信号ＰＷｉのデューティ比ＤＴｉが設定される。
【００４１】
ここで、放電灯Ｌを始動させると、交流電源６から出力された正弦波交流電圧ＶＳ１が整流回路７で整流されて脈動電圧ＶＳ２となり、力率改善回路８で直流定電圧ＶＳ３に変換され、チョッパ回路１０に供給される。
一方、チョッパ回路１０には、制御部Ｃから電力制御パルス信号ＰＷが入力され、ＦＥＴ９がオンオフ制御される。
電力制御パルス信号ＰＷのデューティ比ＤＴｉは、目標交流電力ＷＡ０の立上りから立下りに向って徐々にパルス幅ＰＬｉが広くなるように設定されており、このデューティ比ＤＴｉに応じてＦＥＴ９の導通時間が徐々に長くなるようにオンオフされる。
【００４２】
したがって、このチョッパ回路１０から出力される直流矩形波電力ＷＳ４は、目標交流電力ＷＡ０の立上りから立下りに向って徐々にパルス幅が広くなっており、これを平滑回路１１に入力して平滑化された調整直流電力ＷＳ５は、目標直流電力ＷＤ０に等しい波形となって極性反転回路４に入力される。
【００４３】
極性反転回路４では、極性制御パルス信号ＰＡ 〜ＰＤにより、ＦＥＴ１２Ａ〜１２Ｄが目標交流電力ＷＡ０の反転タイミングに同期してオンオフされるので、調整直流電力ＷＳ５が目標交流電力ＷＡ０に等しい波形のランプ点灯用交流電力ＷＳ６に変換される。
【００４４】
このようにして、予め設定された任意の目標交流電力ＷＡ０と等しい波形のランプ点灯用交流電力ＷＳ６を生成することができるので、その放電灯Ｌの特性に応じた最適な目標交流電力ＷＡ０波形を設定することにより最適な条件で点灯させることができる。
【００４５】
なお、制御部Ｃからチョッパ回路１０に対し電力制御パルス信号ＰＷの個々のパルスがｍ個出力されるたびに、センサ１４ａ及び１４ｂで調整直流電力ＷＳ５の電圧及び電流が検出され、これに基づいて算定される瞬間電力Ｗｉと、目標瞬間電力Ｍｉに基づいて、図６に示す処理手順に従いデューティ比ＤＴｉが補正され、調整直流電力ＷＳ５の波形が目標直流電力ＷＤ０と一致するようにフィードバック制御されることになる。
【００４６】
また、目標交流電力ＷＡ０の１周期分の制御が終了するたびごとに、図７に示す処理手順に従い、総電力量ＴＷが算出されて、予め設定された設定電力量ＳＷと比較され、電力係数Ｋが補正されるので、総電力量ＴＷが設定電力量ＳＷと一致するようにフィードバック制御されることとなる。
【００４７】
なお、上述の説明では、図９（ｄ）の波形のランプ点灯用交流電力を供給する場合について説明したが、その波形は任意であり図９（ｂ）及び（ｃ）のような波形はもちろんのこと、プラス側とマイナス側で電力値や印加時間が異なる非対称の波形であっても良い。
また、上述の説明では電力を調整する場合について説明したが、電圧又は電流の一方をコントロールすることにより電力調整しても良い。
さらに、図９（ｂ）〜（ｄ）の波形のように、ランプ点灯用交流電力ＷＡ０のプラス側とマイナス側が等しい場合は、半周期分の波形に基づいて１周期分を制御しても良い。
【００４８】
【発明の効果】
以上述べたように、本発明によれば、チョッパ回路のスイッチング素子をオンオフする電力制御パルス信号のデューティ比を目標交流電力を整流した目標直流電力に基づいて設定するだけで、ランプ電力調整回路から目標直流電力に等しい波形の調整直流電力が出力され、これを所定のタイミングで反転させれば目標交流電力に等しい波形のランプ点灯用交流電力が簡単に得られ、しかもこれらの制御は、通常の点灯回路に組み込み可能なシングルチップマイクロコンピュータ等の簡単な制御装置で実行可能であるので、装置全体の構成を簡素化、小型化することができ、低コストで、放電灯の特性に応じた任意波形の電力を生成することができるという大変優れた効果を奏する。
【図面の簡単な説明】
【図１】本発明に係る放電灯の点灯装置を示すブロック図。
【図２】ランプ電力調整回路を示す回路図。
【図３】極性反転回路を示す回路図。
【図４】各電力波形及び各制御パルス信号を示す波形図。
【図５】処理手順を示すフローチャート。
【図６】デューティ比補正手順を示すフローチャート。
【図７】電力係数補正手順を示すフローチャート。
【図８】デューティ比補正処理を説明する波形図。
【図９】ランプ点灯交流電力を示す波形図。
【符号の説明】
１………点灯装置
Ｌ………放電灯
２………電源回路
３………ランプ電力調整回路
４………極性反転回路
９………ＦＥＴ（スイッチング素子）
１０………チョッパ回路
１１………平滑回路
２３………電力波形設定手段
２４………ランプ電力コントロール手段
２５………タイミングコントロール手段
【図１】
0004089217.tif 000002
【図２】
0004089217.tif 000003
【図３】
0004089217.tif 000004
【図４】
0004089217.tif 000005
【図５】
0004089217.tif 000006
【図６】
0004089217.tif 000007
【図７】
0004089217.tif 000008
【図８】
0004089217.tif 000009
【図９】
0004089217.tif 000010